(57)【要約】【課題】落ち葉などのゴミを確実に捕捉するとともに、ゴミの堆積によっても詰まることなく排水性能を維持可能な軒樋用ドレンを提供すること。【解決手段】軒樋用ドレン１において、軒樋４の底壁部５から上方に突出する上側筒体２の上部６に、数本の脚部１０が排水可能な間隔をあけて起立して形成された排水部１１と、網目状に形成されたフィルター部１２とが配設され、フィルター部は、排水部の上側に配置され、上方に突出している。【選択図】図１
2009108512.tif 000002
【特許請求の範囲】
【請求項１】
上側筒体と下側筒体とを備え、軒樋の底壁部に内外を貫通して形成された排水口の周辺において軒樋の底壁部を上側筒体と下側筒体との間で挟持して取り付けられ、下側筒体に竪樋が接続され、軒樋から竪樋へ排水する軒樋用ドレンにおいて、軒樋の底壁部から上方に突出する上側筒体の上部に、数本の脚部が排水可能な間隔をあけて起立して形成された排水部と、網目状に形成されたフィルター部とが配設され、フィルター部は、排水部の上側に配置され、上方に突出していることを特徴とする軒樋用ドレン。
【請求項２】
前耳部と後耳部とを有し、後耳部の上端が前耳部の上端より下方に位置する軒樋に取り付けられた状態において、フィルター部の上端が、軒樋の後耳部の上端から突出せず、後耳部の上端付近に配置されることを特徴とする請求項１に記載の軒樋用ドレン。
【発明の詳細な説明】
【技術分野】
【０００１】
本発明は、軒樋と竪樋との連結部に配設され、軒樋から竪樋へ排水する軒樋用ドレンに関する。
【背景技術】
【０００２】
住宅などの建物では、降雨にともない屋根などから流れ落ちる雨水は、軒先に設置された軒樋で受けた後、軒樋に接続された竪樋を通じて排水される。軒樋には、竪樋との連結部において、底壁部に排水口が内外を貫通して形成され、この排水口に連通させて竪樋が軒樋に連結される。軒樋と竪樋との連結には、従来、軒樋用ドレンが一種の継手として配設され、軒樋用ドレンは、軒樋と竪樋とを連結しつつ、軒樋から竪樋へ排水可能とされている。
【０００３】
このような軒樋用ドレンには、たとえば特許文献１、２に記載されたものが知られている。軒樋用ドレンは、上側筒体と下側筒体とを備え、軒樋の底壁部に形成された排水口の周辺において軒樋の底壁部を上側筒体と下側筒体との間で挟持して取り付けられ、下側筒体に竪樋が接続される。
【０００４】
特許文献１に記載された軒樋用ドレンでは、軒樋の底壁部から上方に突出する上側筒体の上端開口部が、棒体により立設されて形成されるとともに、雨水排水方向に長い長方形状の網体により覆われている。
【０００５】
特許文献２に記載された軒樋用ドレンでは、上側筒体において、軒樋の底壁部から上方に突出する上端に、軒樋の内側に配置される、半球面状の網体が設けられている。
【０００６】
上記軒樋用ドレンは、いずれも、上側筒体に設けられた網体によって、軒樋中を流れる落ち葉などのゴミを引っ掛け、竪樋に流出するのを抑え、ゴミによる竪樋の詰まりを防ぐことができるようにしている。
【特許文献１】特開平９−３１７１００号公報
【特許文献２】特開平１０−７２９１６号公報
【発明の開示】
【発明が解決しようとする課題】
【０００７】
しかしながら、特許文献２に記載された軒樋用ドレンでは、網体の下端が軒樋の底壁部に配置されているので、落ち葉などのゴミが溜まるにしたがって網体に目詰まりが起こり、その結果、排水量が低減し、やがて竪樋に向けて排水することができなくなるという恐れがある。この問題は、定期的にゴミの除去を行えば解決されることではあるが、軒先という高所でのメンテナンスであり、手間が掛かることは否めない。
【０００８】
特許文献１に記載された軒樋用ドレンは、上側筒体の上端開口部が、棒体の立設にともない、軒樋底壁部から若干高い位置に配置されるので、特許文献２に記載された軒樋用ドレンに比べ、排水能力の低下を抑制することができると考えられるが、それでも、上端開口部は、軒樋の底壁部より若干高い位置に配置されているに過ぎず、また、網体は、上端開口部を平面状に覆うに過ぎないので、落ち葉などのゴミが溜まるにつれて網体ばかりでなく、棒体が配設された部分においてもゴミが蓄積し、詰まっていき、排水量の低減は起こり得る。
【０００９】
本発明は、以上の通りの事情に鑑みてなされたものであり、落ち葉などのゴミを確実に捕捉するとともに、ゴミの堆積によっても詰まることなく排水性能を維持可能な軒樋用ドレンを提供することを課題としている。
【課題を解決するための手段】
【００１０】
本発明は、上記の課題を解決するために、以下の特徴を有する。
【００１１】
第１の発明は、上側筒体と下側筒体とを備え、軒樋の底壁部に内外を貫通して形成された排水口の周辺において軒樋の底壁部を上側筒体と下側筒体との間で挟持して取り付けられ、下側筒体に竪樋が接続され、軒樋から竪樋へ排水する軒樋用ドレンにおいて、軒樋の底壁部から上方に突出する上側筒体の上部に、数本の脚部が排水可能な間隔をあけて起立して形成された排水部と、網目状に形成されたフィルター部とが配設され、フィルター部は、排水部の上側に配置され、上方に突出していることを特徴としている。
【００１２】
第２の発明は、上記第１の発明において、前耳部と後耳部とを有し、後耳部の上端が前耳部の上端より下方に位置する軒樋に取り付けられた状態において、フィルター部の上端が、軒樋の後耳部の上端から突出せず、後耳部の上端付近に配置されることを特徴としている。
【発明の効果】
【００１３】
上記第１の発明によれば、軒樋の底壁部から上方に突出する上側筒体の上部に、数本の脚部が排水可能な間隔をあけて起立して形成された排水部と、網目状に形成されたフィルター部とが配設され、フィルター部は、排水部の上側に配置され、上方に突出しているので、落ち葉などのゴミを捕捉するフィルター部は、従来の軒樋用ドレンに比べ、軒樋の内部において高い位置に配置され、したがって、ゴミが堆積しても、フィルター部の下側に位置する排水部において詰まりは生じにくく、十分に雨水を排水することができ、排水性能を維持することができる。
【００１４】
上記第２の発明によれば、フィルター部の露出を防止しつつ、上記第１の発明の効果をより確実に達成することができる。
【発明を実施するための最良の形態】
【００１５】
図１、図２は、それぞれ、本発明の軒樋用ドレンの一実施形態を取付状態とともに示した断面図、平面図である。
【００１６】
図１および図２に示した軒樋用ドレン１は、ともに円筒状の上側筒体２と下側筒体３とを備えている。上側筒体２は、取付状態において、軒樋４の底壁部５から軒樋４の内部に上方に突出する上部６と、竪樋７との連結部において軒樋４の底壁部５に形成された内外を貫通する円形状の排水口８に差し込まれ、軒樋４の底壁部５から下方に突出する下部９とを有している。下側筒体３は、上側筒体２の下部９の外側に、ねじ込み、嵌合などによって接続されている。このような上側筒体２と下側筒体３との接続によって軒樋用ドレン１が形成される。下側筒体３は、上側筒体２の下部９の内側に接続するようにしても構わない。竪樋７は、上端部が下側筒体３の下端から内側に挿入され、下側筒体３に嵌合して接続されている。竪樋７は、下側筒体３の外側から嵌合させることもできる。
【００１７】
上側筒体２の上部６の外径は、軒樋４の底壁部５に形成された排水口８の口径より若干大きく、下部９の外径は排水口８の口径より若干小さい。したがって、下部９を排水口８の上方から挿入し、下方に貫通させた状態において、下側筒体３を下部９に接続することによって、上側筒体２と下側筒体３とが接続され、軒樋用ドレン１が形成されるとともに、軒樋４と竪樋７との連結部に軒樋用ドレン１が取り付けられる。取付状態において、軒樋用ドレン１は、上側筒体２と下側筒体３との間に軒樋４における排水口８の周辺の底壁部５を挟持するため、安定した取付状態が得られる。竪樋７の連結は、このように軒樋用ドレン１が軒樋４に取り付けられた状態において行うことができる。
【００１８】
また、図１および図２に示した軒樋用ドレン１では、取付状態において、軒樋４の底壁部５から軒樋４の内部に上方に突出する上部６に、４本以上の数本の脚部１０が間隔をあけて円周上に起立して形成された排水部１１と、網目状に形成されたフィルター部１２とが配設されている。
【００１９】
排水部１１には、隣り合う２本の脚部１０間に、落ち葉などの比較的大きなゴミは通さず、雨水を排水可能な排水間隙１３が形成されている。排水間隙１３によって、排水部１１において軒樋４内の雨水を排水口８に流し、下部９および下側筒体３を通じて竪樋７に排水可能としている。
【００２０】
フィルター部１２は、金属または樹脂製などのメッシュから形成され、排水部１１の上側に配置され、上方に突出している。フィルター部１２の形状は、有底の円筒の底面および側面に沿った形状を有しているが、形状としては、半球面に沿った形状などをはじめとする各種のハット型、キャップ型などとすることができる。フィルター部１２の上端は、取付状態において、軒樋４の後耳部１４よりわずかに低い、後耳部１４から上端から突出しない程度の後耳部１４の上端付近に配置されている。フィルター部１２の上端位置は、従来のたとえば特許文献１、２に記載された網体の配置位置より高くなっている。
【００２１】
なお、軒樋４は、底壁部５から略垂直に立設された後壁部１５の上端に後耳部１４を有し、底壁部５から斜め前方に傾斜して延設された前壁部１６の上端に前耳部１７を有している。後耳部１４の上端は、前耳部１７の上端より下方に位置している。前耳部１７および後耳部１４は、軒樋４を軒先に取り付け、固定するための固定具が有する係止部に係止され、嵌合により容易に取り付け可能とするための部位である。
【００２２】
このように、図１および図２に示した軒樋用ドレン１では、取付状態において、軒樋４の底壁部５から上方に突出する上側筒体２の上部６に排水部１１とフィルター部１２とが配設され、フィルター部１２は、排水部１１の上側に配置され、上方に突出し、従来の軒樋用ドレンに比べ、軒樋４の内部の高い位置に配置され、上端が軒樋４の後耳部１４の上端付近に位置しているので、落ち葉などのゴミを網目状に形成されたフィルター部１２において確実に捕捉することができ、ゴミが堆積し、溜まっても、フィルター部１２の下側に位置する排水部１１において詰まりは生じにくく、しかも、排水部１１の脚部１０間に形成された排水間隙１３は、排水のために十分な大きさを有するため、雨水を十分に排水することができ、排水性能の低下はほとんどない。排水性能は高く維持される。軒樋用ドレン１における落ち葉などのゴミの保持量が増加し、堆積したゴミの除去のためのメンテナンス期間を長くすることができ、メンテナンスに要する手間が省ける。
【００２３】
また、フィルター部１２に堆積した落ち葉などのゴミが、万一、剥がれて落下するようなことがあっても、排水部１１における排水間隙１３は、比較的大きなゴミの大きさに比べ小さく、したがって、落下したゴミが排水間隙１３を通過して竪樋７に流出する恐れはほとんどない。竪樋７の落ち葉などのゴミによる詰まりは十分抑制される。
【００２４】
さらに、フィルター部１２が高い位置に配置されていても、その上端は、軒樋４の後耳部１４の上端から突出せず、フィルター部１２は、軒樋４の内部に止まっているため、フィルター部１２が露出することはなく、建物の外観が損なわれることはない。
【図面の簡単な説明】
【００２５】
【図１】本発明の軒樋用ドレンの一実施形態を取付状態とともに示した断面図である。
【図２】図１に示した軒樋用ドレンを取付状態とともに示した平面図である。
【符号の説明】
【００２６】
１  軒樋用ドレン
２  上側筒体
３  下側筒体
４  軒樋
５  底壁部
６  上部
７  竪樋
８  排水口
１０  脚部
１１  排水部
１２  フィルター部
１４  後耳部
１７  前耳部
【図１】
2009108512.tif 000003
【図２】
2009108512.tif 000004